(57)【要約】【目的】鏡餅形パックの重さを支える詰め物を無くする。【構成】鏡餅用台20は一枚の厚紙により構成され，その上面部21には鏡餅形パック10が入る開口25があけられている。上面部21の３辺から順次折込まれる外側面部22Ａ，22Ｂ，22Ｃ，内側面部23Ａ，23Ｂ，23Ｃおよび押え部24Ａ，24Ｂ，24Ｃがそれぞれ連続して形成され，これらの内側面部23Ａ，23Ｂ，23Ｃには受穴28が形成され，上面部21の他の１辺から順次折込まれる外側面部22Ｄ，内側面部23Ｄおよび押え部24Ｄがそれぞれ連続して形成され，押え部24Ｄは上面部21に重なる大きさであり，押え部24Ｄの３辺に係止片部29が形成され，係止片部29が受穴28に入ることにより，これらの受穴28と係止片部29は強く結合する。鏡餅形パック10の下部突縁12は上面部21とこれらの押え部との間に挟まれて支持される。【選択図】図７
2011244909.tif 000002
【特許請求の範囲】
【請求項１】
下部突縁を有する鏡餅形パックと，この鏡餅形パックを支持する鏡餅用台とを含み，
上記鏡餅用台は厚紙を折ることにより形成され，
上記厚紙は，少なくとも１つの鏡餅形パック挿入用開口があけられた方形の上面部を有し，
上記上面部の互いに対向する第１の２辺から順次折込まれる第１，第２の外側面部，第１，第２の内側面部および第１，第２の押え部がそれぞれ連続して形成され，上記第１，第２の内側面部の上記第１，第２の押え部との境界から上記第１，第２の外側面部の方向に向ってそれぞれ受穴が形成され，
上記上面部の上記第１の２辺と隣接しかつ互いに対向する第２の２辺から順次折込まれる第３，第４の外側面部，第３，第４の内側面部および第３，第４の押え部がそれぞれ連続して形成され，上記第４の押え部は上記上面部の内面を全面的に覆う大きさを持ち，上記第４の押え部の上記受穴に対応する箇所には第１の係止片部がそれぞれ突出状に形成され，
上記第１ないし第４の外側面部に重なるように上記第１ないし第４の内側面部を折込むことにより上記鏡餅用台の側面が形成され，
上記第１，第２の押え部および上記第３の押え部が上記上面部の内面に沿うように折込まれ，これらの上記第１，第２，第３の押え部を覆うように上記第４の押え部が上記上面部の内面に沿うように折込まれ，上記第１の係止片部は上記第４の押え部に対してほぼ直角に折り曲げられて上記受穴にそれぞれ入り，
上記鏡餅形パックはその大部分が上記鏡餅形パック挿入用開口を通って鏡餅用台の上面部外方に突出し，上記鏡餅形パックの下部突縁が上記上面部と折込まれた上記第１ないし第４の押え部との間に挟み込まれている，
鏡餅セット。
【請求項２】
上記第３の内側面部にも受穴が形成され，
上記第４の押え部の上記第３の内側面部の受穴に対応する箇所にもう一つの第１の係止片部が突出状に形成されている，請求項１に記載の鏡餅セット。
【請求項３】
上記第４の押え部につまみ片部が形成され，上記第３の内側面部に沿うように折り曲げられている，請求項１または２に記載の鏡餅セット。
【請求項４】
上記第１，第２の内側面部に上記第１，第２の押え部との境界に沿って上記受穴に連続してスリットが形成され，
上記スリットに入る第２の係止片部が上記第４の押え部から突出するように形成され，上記第１の係止片部は上記第２の係止片部からほぼ直角に折り曲げられている，
請求項１に記載の鏡餅セット。
【請求項５】
上記第３の内側面部に上記第３の押え部との境界に沿ってスリットとこれにつながる受穴が形成され，
上記第３の内側面部の上記スリットに入るもう一つの第２の係止片部が上記第４の押え部から突出するように形成され，上記第１の係止片部は上記第２の係止片部からほぼ直角に折り曲げられている，
請求項４に記載の鏡餅セット。
【請求項６】
上記第３の押え部の上に上記第１，第２の押え部が重ねられ，上記第３の押え部の上記第１，第２の押え部の辺がそれぞれ位置する箇所に切込みが形成され，上記第３の押え部の上記切込みの間の部分が折り起こされて上記切込みに上記第１，第２の押え部の辺が入って上記第１，第２の押え部が仮止めされている，請求項１から５のいずれか一項に記載の鏡餅セット。
【請求項７】
上記切込みが，上記第３の押え部の辺に垂直な直線，または上記第３の押え部の上記切込みの間の部分の上記切込みの近傍が上記第１，第２の押え部に重なるように斜めまたは弧状に形成されている，請求項６に記載の鏡餅セット。
【請求項８】
厚紙を折ることにより形成される鏡餅用台であり，
上記厚紙は，少なくとも１つの鏡餅形パック挿入用開口があけられた方形の上面部を有し，
上記上面部の互いに対向する第１の２辺から順次折込まれる第１，第２の外側面部，第１，第２の内側面部および第１，第２の押え部がそれぞれ連続して形成され，上記第１，第２の内側面部の上記第１，第２の押え部との境界から上記第１，第２の外側面部の方向に向ってそれぞれ受穴が形成され，
上記上面部の上記第１の２辺と隣接しかつ互いに対向する第２の２辺から順次折込まれる第３，第４の外側面部，第３，第４の内側面部および第３，第４の押え部がそれぞれ連続して形成され，上記第４の押え部は上記上面部の内面を全面的に覆う大きさを持ち，上記第４の押え部の上記受穴に対応する箇所には第１の係止片部がそれぞれ突出状に形成され，
上記第１ないし第４の外側面部に重なるように上記第１ないし第４の内側面部を折込むことにより上記鏡餅用台の側面が形成され，
上記第１，第２の押え部および上記第３の押え部が上記上面部の内面に沿うように折込まれ，これらの上記第１，第２，第３の押え部を覆うように上記第４の押え部が上記上面部の内面に沿うように折込まれ，上記第１の係止片部は上記第４の押え部に対してほぼ直角に折り曲げられて上記受穴にそれぞれ入っている，
鏡餅用台。
【請求項９】
上記第３の内側面部にも受穴が形成され，
上記第４の押え部の上記第３の内側面部の受穴に対応する箇所にもう一つの第１の係止片部が突出状に形成されている，請求項８に記載の鏡餅用台。
【請求項１０】
上記第４の押え部につまみ片部が形成され，上記第３の内側面部に沿うように折り曲げられている，請求項８または９に記載の鏡餅用台。
【請求項１１】
上記第１，第２の内側面部に上記第１，第２の押え部との境界に沿って上記受穴に連続してスリットが形成され，
上記スリットに入る第２の係止片部が上記第４の押え部から突出するように形成され，上記第１の係止片部は上記第２の係止片部からほぼ直角に折り曲げられている，
請求項８に記載の鏡餅用台。
【請求項１２】
上記第３の内側面部に上記第３の押え部との境界に沿ってスリットとこれにつながる受穴が形成され，
上記第３の内側面部の上記スリットに入るもう一つの第２の係止片部が上記第４の押え部から突出するように形成され，上記第１の係止片部は上記第２の係止片部からほぼ直角に折り曲げられている，
請求項11に記載の鏡餅用台。
【請求項１３】
上記第３の押え部の上に上記第１，第２の押え部が重ねられ，上記第３の押え部の上記第１，第２の押え部の辺がそれぞれ位置する箇所に切込みが形成され，上記第３の押え部の上記切込みの間の部分が折り起こされて上記切込みに上記第１，第２の押え部の辺が入って上記第１，第２の押え部が仮止めされている，請求項８から12のいずれか一項に記載の鏡餅用台。
【請求項１４】
上記切込みが，上記第３の押え部の辺に垂直な直線，または上記第３の押え部の上記切込みの間の部分の上記切込みの近傍が上記第１，第２の押え部に重なるように斜めまたは弧状に形成されている，請求項13に記載の鏡餅用台。
【請求項１５】
厚紙を折ることにより形成される箱状体において，一部が互いに重なる下側の第１の片部と上側の第２の片部がほぼ垂直に交わる辺を有し，下側に位置する第１の片部に，上側に位置する第２の片部の辺に沿う方向に切込みが入れられ，上記第１の片部の第２の片部の下側に位置する部分以外の一部が上記切込みの位置から折り起こされ，上記切込みに上記第２の片部の辺が入って上記第２の片部が仮止めされている，箱状体における仮止め構造。
【発明の詳細な説明】
【技術分野】
【０００１】
この発明は，鏡餅セットおよび鏡餅用台に関する。
【背景技術】
【０００２】
鏡餅セットは，餅を充填した合成樹脂製鏡餅形パックを鏡餅用台に支持して装飾性を高めたものである。背後に屏風を配置することもある。一部が透明なケース内に収納されることもある。
【０００３】
鏡餅用台は一般に厚紙を切り抜いて折ることにより形成されることが多い。厚紙でつくった鏡餅用台上に重い鏡餅形パックを載せると，台の中央部がへこんで鏡餅形パックが沈んでしまうので，これを防ぐために鏡餅用台の内部に，鏡餅形パックを支える詰め物を入れる。
【先行技術文献】
【特許文献】
【０００４】
【特許文献１】特開２００５−５８５８９号公報
【発明の開示】
【０００５】
この発明は詰め物が不要な鏡餅用台およびこの鏡餅用台を用いた鏡餅セットを提供することを目的とする。
【０００６】
この発明による鏡餅セットは，下部突縁を有する鏡餅形パックと，この鏡餅形パックを支持する鏡餅用台とを含む。上記鏡餅用台は厚紙を折ることにより形成される。上記厚紙は，少なくとも１つの鏡餅形パック挿入用開口があけられた方形の上面部を有し，上記上面部の互いに対向する第１の２辺から順次折込まれる第１，第２の外側面部，第１，第２の内側面部および第１，第２の押え部がそれぞれ連続して形成され，上記第１，第２の内側面部の上記第１，第２の押え部との境界から上記第１，第２の外側面部の方向に向ってそれぞれ受穴が形成され，上記上面部の上記第１の２辺と隣接しかつ互いに対向する第２の２辺から順次折込まれる第３，第４の外側面部，第３，第４の内側面部および第３，第４の押え部がそれぞれ連続して形成され，上記第４の押え部は上記上面部の内面を全面的に覆う大きさを持ち，上記第４の押え部の上記受穴に対応する箇所には第１の係止片部がそれぞれ突出状に形成される。上記第１ないし第４の外側面部に重なるように上記第１ないし第４の内側面部を折込むことにより上記鏡餅用台の側面が形成される。上記第１，第２の押え部および上記第３の押え部が上記上面部の内面に沿うように折込まれ，これらの上記第１，第２，第３の押え部を覆うように上記第４の押え部が上記上面部の内面に沿うように折込まれ，上記第１の係止片部は上記第４の押え部に対してほぼ直角に折り曲げられて上記受穴にそれぞれ入る。上記鏡餅形パックはその大部分が上記鏡餅形パック挿入用開口を通って鏡餅用台の上面部外方に突出し，上記鏡餅形パックの下部突縁が上記上面部と折込まれた上記第１ないし第４の押え部との間に挟み込まれている。
【０００７】
好ましくは，上記第３の内側面部にも受穴が形成され，上記第４の押え部の上記第３の内側面部の受穴に対応する箇所にもう一つの第１の係止片部が突出状に形成される。
【０００８】
この構造により，少なくとも２つまたは３つの第１の係止片部が受穴に入り，４つの押え部は強く結合し，鏡餅形パックの重量を支える。したがって，鏡餅用台に鏡餅形パックの重さを支える詰め物を設けなくても済むようになる。好ましい実施態様では，上記受穴は上記内側面部の上記押え部との境界から上記外側面部の方向に向って幅がしだいに狭くなる形をもつ。上記第１の係止片部は上記受穴と同じような形で上記受穴に入るように少し小さいことが望ましい。
【０００９】
他の実施態様では，係止片部と受穴に相当するものが二重に設けられる。すなわち，上記第１，第２の内側面部に上記第１，第２の押え部との境界に沿って上記受穴に連続してスリットが形成され，上記第４の押え部の上記スリットに対応する位置には上記スリットに入る第２の係止片部が上記第４の押え部から突出するように形成され，上記第１の係止片部は上記第２の係止片部からほぼ直角に折り曲げられる。上記第２の係止片部が上記スリットに入って係止され，上記第１の係止片部が上記受穴に入って係止されるので，押え部の結合は一層強固になる。好ましくは，上記スリットの部分に相当する突出片部が上記第１，第２の押え部から突出する。
【００１０】
上記第３の内側面部にも受穴が形成されているときには，この受穴に連続してスリットが，これらの受穴，スリットに対応して上記第４の押え部に第１，第２の係止片部が形成されるのはいうまでもない。
【００１１】
一実施態様では，上記第４の押え部につまみ片部が形成され，上記第３の内側面部に沿うように折り曲げられる。このつまみ片部を用いて第４の押え部を引き出すことができる。
【００１２】
他の実施態様では，第１，第２および第３の押え部の幅は鏡餅用台の幅（横方向の長さ）の半分以下である。そして，鏡餅用台を組立てるときに，上記第３の押え部の上に上記第１，第２の押え部が重ねられる。上記第３の押え部の上記第１，第２の押え部の辺がそれぞれ位置する箇所に切込みが形成されており，上記第３の押え部の上記切込みの間の部分が折り起こされて上記切込みに上記第１，第２の押え部の辺が入って（折り起こされた上記切込みの辺（縁）に第１，第２の押え部の辺が当って）上記第１，第２の押え部が仮止めされ，これにより，鏡餅用台の組立てが容易となる。
【００１３】
上記切込みは，上記第３の押え部の辺に垂直な直線，または上記第３の押え部の上記切込みの間の部分の上記切込みの近傍が上記第１，第２の押え部に重なるように斜めまたは弧状に形成される。
【００１４】
上記のように２つの重なる片部の重なり部分において，一方を他方に対して仮止めする一般的な構造は次のように規定される。
【００１５】
すなわち，厚紙を折ることにより形成される箱状体において，一部が互いに重なる下側の第１の片部と上側の第２の片部がほぼ垂直に交わる辺を有し，下側に位置する第１の片部に，上側に位置する第２の片部の辺に沿う方向に（第２の片部の辺にぴったり重ならなくても，多少斜めでも，弧状になっていてもよい）切込みが入れられ，上記第１の片部の第２の片部の下側に位置する部分以外の一部が上記切込みの位置から折り起こされ，上記切込みに上記第２の片部の辺が入って（上記切込みの辺に上記の第２の片部の辺が当って）上記第２の片部が仮止めされる。きわめて簡単な構造で仮止めが行われ，箱状体の組立て作業が容易となる。
【００１６】
この発明はまた，上記の鏡餅用台も提供している。この鏡餅用台は，厚紙を折ることにより形成される。上記厚紙は，少なくとも１つの鏡餅形パック挿入用開口があけられた方形の上面部を有する。上記上面部の互いに対向する第１の２辺から順次折込まれる第１，第２の外側面部，第１，第２の内側面部および第１，第２の押え部がそれぞれ連続して形成され，上記第１，第２の内側面部の上記第１，第２の押え部との境界から上記第１，第２の外側面部の方向に向ってそれぞれ受穴が形成され，上記上面部の上記第１の２辺と隣接しかつ互いに対向する第２の２辺から順次折込まれる第３，第４の外側面部，第３，第４の内側面部および第３，第４の押え部がそれぞれ連続して形成され，上記第４の押え部は上記上面部の内面を全面的に覆う大きさを持ち，上記第４の押え部の上記受穴に対応する箇所には第１の係止片部がそれぞれ突出状に形成されている。上記第１ないし第４の外側面部に重なるように上記第１ないし第４の内側面部を折込むことにより上記鏡餅用台の側面が形成される。上記第１，第２の押え部および上記第３の押え部が上記上面部の内面に沿うように折込まれ，これらの上記第１，第２，第３の押え部を覆うように上記第４の押え部が上記上面部の内面に沿うように折込まれ，上記第１の係止片部は上記第４の押え部に対してほぼ直角に折り曲げられて上記受穴にそれぞれ入る。
【００１７】
上記第３の内側面部にも受穴を形成し，上記第４の押え部の上記第３の内側面部の受穴に対応する箇所にもう一つの第１の係止片部を突出状に形成してもよい。さらに上述したように，受穴と第１の係止片部に相当するものを二重に設けてもよい。さらに，つまみ片部を設けることもできる。組立てに容易なように，上記第３の押え部の上記第１，第２の押え部の辺がそれぞれ位置する箇所に切込みを形成することもできる。
【００１８】
このような鏡餅用台を用いると，鏡餅形パックを支えるために，鏡餅用台の内部に詰め物が不要となる。
【００１９】
厚紙とは植物性繊維を材料とするもののみならず，合成繊維を材料の一部または全部とするもの，表面に合成樹脂膜をコーティング等したもの，合成樹脂による厚手のシート等を含むものである。
【図面の簡単な説明】
【００２０】
【図１】店頭に配置される形態の鏡餅セットを示すものであり，屏風セットとともにケースに収められ，かつ水引で飾られた一実施例の鏡餅セットを示す斜視図である。
【図２】図１のII−II線にそう拡大断面図であり，屏風とケースと水引とを除いて示す。
【図３】一実施例の鏡餅用台の展開図である。
【図４】鏡餅形パックを示す斜視図である。
【図５】鏡餅セットを組立てる様子を示す斜視図であり，鏡餅形パックについては下部突縁のみが示されている。
【図６】図５のVI−VI線に沿う拡大断面図である。
【図７】鏡餅セットを組立てる様子を示す斜視図であり，鏡餅形パックについては図示が省略されている。
【図８】鏡餅セットを組立てる様子を示す斜視図であり，鏡餅形パックについては図示が省略されている。
【図９】図８のIX−IX線に沿う拡大断面図である。
【図１０】変形例を示し，鏡餅用台の展開図である。
【図１１】変形例の鏡餅セットを組立てる様子を示す斜視図であり，鏡餅形パックについては下部突縁のみが示されている。
【図１２】図11のXII−XII線に沿う拡大断面図である。
【図１３】鏡餅セットを組立てる様子を示す斜視図であり，第４の押え部のみを示している。
【図１４】図13のXIV−XIV線に沿う拡大断面図である。
【図１５】鏡餅セットを組立てる様子を示す斜視図である。
【図１６】鏡餅セットを組立てる様子を示す斜視図である。
【図１７】図16のXVII−XVII線に沿う拡大断面図である。
【図１８】図16のXVIII−XVIII線に沿う拡大断面図である。
【図１９】屏風セットの展開図である。
【図２０】屏風セットを組立てた様子を示す斜視図である。
【実施例】
【００２１】
図１は鏡餅セットの全体を示すものである。
【００２２】
鏡餅セットは，鏡餅形パック10とこの鏡餅形パック10を支持する鏡餅用台20とを含む。この実施例では，鏡餅形パック10には飾りとして水引13が付けられている。すなわち，水引13は，鏡餅形パック10の大小２個の餅形間のくびれに掛けられる輪ゴムによって取付けられている。さらにこの実施例では，鏡餅形パック10を支持する鏡餅用台20は，背面の屏風と両側面の三角形状の屏風とを有する屏風セット50内に収められている。さらにこれらの全体が透明ケース（箱またはカートン）（鎖線で示す）70内に収納されて店頭に陳列される。屏風セット50や鏡餅用台20の表面には，適切な絵，図柄，文字等が描かれ，色彩が施されている。
【００２３】
図２は，屏風セット，ケースおよび水引を除いて示す，鏡餅形パックおよび鏡餅用台の図１，II−II線に沿う拡大断面図である。図４，５，７，８は鏡餅用台および鏡餅形パックの組立ての様子を示す斜視図である。また図６，９はそれぞれ図５，８におけるVI−VI線，IX−IX線に沿う拡大断面図である。これらの図を参照して，鏡餅形パックおよび鏡餅用台の構造を以下に詳しく説明する。
【００２４】
特に図４を参照して，鏡餅形パック10は白色，白濁色または乳白色の合成樹脂により一体的に形成され，鏡餅の形状をもつ中空の鏡餅形部11と，この鏡餅形部11の下縁から外方に突出する下部突縁（フランジ）12とを有する。下部突縁12は図示の例では鏡餅用台20内に丁度収まる大きさの方形（ほぼ正方形）であるが，その他の形状でもよい。鏡餅形部11内にはその下面開口から軟化状態にある餅が充填され硬化されるとともに下面開口がシート状シール材によりシールされる。シール材は下部突縁12の下面に溶着または接着される。鏡餅形部11内に，硬化した円盤状，さいころ状，方形板状，その他の形状の複数個の餅または菓子，その他の物を入れてもよい。
【００２５】
鏡餅用台20は，平面からみて，ほぼ正方形のやや高さの低い箱形であり，次に示すように一枚の厚紙により形成される。鏡餅用台20の上面部21には，鏡餅形パック10の鏡餅形部11の最下部がゆるく入る程度の円形の開口25があけられている。鏡餅用台20の構成を図３を参照してさらに詳しく説明する。
【００２６】
図３は鏡餅用台20を形成する厚紙（型紙）の展開図であり，鏡餅用台20の内側となる方向から見たものである。この図３において，厚紙を折って鏡餅用台20をつくるときに谷折りになる折り線を破線で，山折りとなる折り線を一点鎖線で示す。
【００２７】
特に図３を参照して，鏡餅用台20を形成するための厚紙は，上面部21になる部分（開口25があけられる）を中心にその前後，左右に次に述べる各部が一体的に設けられる。
【００２８】
まず鏡餅用台20の左右の側面となる部分について述べると，上面部21の互いに対向する２辺から，左右の外側面部（第１，第２の外側面部）となる部分22Ａ，22Ｂ，これらの部分22Ａ，22Ｂから内側に折り返されて内側面部（第１，第２の内側面部）となる部分23Ａ，23Ｂ，さらに上面部21の内側に沿うように直角に折り曲げられる押え部（第１，第２の押え部）24Ａ，24Ｂが，それぞれ順次連続的に形成されている。内側面部23Ａ，23Ｂの一端（鏡餅用台20の前部がわ）端からは差込部27がそれぞれ外方に延びている。
【００２９】
鏡餅用台20の前後の側面となる部分について述べると，上面部21の上記の２辺と隣接し，かつ互いに対向する他の２辺から，後および前の外側面部（後面部および前面部）（第３，第４の外側面部）22Ｃ，22Ｄとなる部分，これらの部分22Ｃ，22Ｄから内側に折り返されて内側面部（第３，第４の内側面部）となる部分23Ｃ，23Ｄ，さらに上面部21の内側に沿うように直角に折り曲げられる押え部（第３，第４の押え部）24Ｃ，24Ｄが，それぞれ順次連なって形成されている。内側面部23Ｃの両端からは差込部27がそれぞれ外方に延びている。
【００３０】
外側面部22Ａ，22Ｂ，22Ｃ，22Ｄのそれぞれの間には扇形のコーナー折込部46が設けられ，隣接する外側面部をつないでいる。
【００３１】
押え部24Ａ，24Ｂ，24Ｃの幅は外，内側面部の幅と同程度である。これらの押え部24Ａ，24Ｂ，24Ｃの幅は上面部21の一辺の長さの半分以下である。もう一つの押え部24Ｄは，内底面となるもので，上面部21の内面を丁度覆う大きさ（上面部21の大きさとほぼ等しい。すなわち，上面部21よりも各辺とも厚紙の厚さ２枚分程度小さい。）につくられている。
【００３２】
３つの内側面部23Ａ，23Ｂ，23Ｃには，その長手方向の中央部において，押え部24Ａ，24Ｂ，24Ｃとの境界から外側面部22Ａ，22Ｂ，22Ｃの方向に向って半円形（半円の弦は内側面部と押え部の折り線に丁度一致している。）の受穴28があけられている。これらの受穴28にそれぞれ対応して，もう一つの押え部24Ｄには，その３つの辺の中央部に係止片部（第１の係止片部）29が外方に突出して形成されている。これらの係止片部29は受穴28よりも若干小さい半円形状である。係止片部29の折り線はそれらの係止片部29が形成された押え部24Ｄの各辺よりもわずかに外側にあり（一点鎖線で示す），ほぼ直角に山折りに折り曲げられたときに押え部24Ｄの各辺よりも係止片部29の厚さ分程度外側に突出ぎみとなる。受穴28は半円形に限らず，三角形，台形，方形等でもよい。好ましくは，受穴28の幅は外側面部22Ａ，22Ｂ，22Ｃの方向に向ってしだいに小さくなる形状がよい（半円形，三角形，台形など）。係止片部29は受穴28と同じような形状で，受穴28よりもやや小さくつくられる。
【００３３】
押え部24Ｄにはさらに，その先端となる辺の側方に寄った箇所に（係止片部29が設けられている箇所から少し離れて）つまみ片部30が外方に突出するように形成れさている。このつまみ片部30の両側から押え部24Ｄに向ってわずかに切込みが入れられ，切込みの先端の位置につまみ片部30の折り線がある（鎖線で示す）。すなわち，つまみ片部30は，押え部24Ｄの先端の辺よりも厚さ分程度内方の位置でほぼ直角に山折りにされることになる。
【００３４】
さらに，押え部24Ｃには，押え部24Ａ，24Ｂを仮に押える仮止め用の２つの弧状の切込み31が形成されている。これらの切込み31の位置，形状等については後述する。
【００３５】
上記のように型取り（型抜き）された厚紙は次のように折込んで鏡餅用台が組立てられる。まず，各折れ線にしたがって谷折り，山折りの折り目をつけておく。後面となる外側面部22Ｃを上面部21に対して直角に，内側面部23Ｃを外側面部22Ｃの内側に重ねるようにそれぞれ折り，さらに押え部24Ｃを上面部21の内面に沿うように内側面部23Ｃに対して直角に折り曲げる。このとき，コーナー折込部26および差込部27を外側面部22Ａ，22Ｂの側に直角に折り込んでおく。押え部24Ｃを上面部21の内面に沿うように折り曲げる前に，鏡餅形パック10をその頭を先にして，上面部21の内側から開口25に入れ，その下部突縁12を上面部21の内面に沿わせ，その上に押え部24Ｃを重ねる（図５においてのみ下部突縁12のみを図示してある）。
【００３６】
同じように，外側面部22Ａ，22Ｂを直角に折り，内側面部23Ａ，23Ｂを外側面部22Ａ，22Ｂの内側に重ねるように折り曲げ（このとき外側面部22Ｃからのコーナー折込部26および内側面部23Ｃからの差込部27を外側面部22Ａ，22Ｂと内側面部23Ａ，23Ｂとの間に挟む。），さらに押え部24Ａ，24Ｂを上面部21の内面に沿うように直角に折り曲げる。
【００３７】
図５に示すように押え部24Ｃの上に押え部24Ａ，24Ｂが重なる。上述した仮止め用切込み31は，押え部24Ａ，24Ｂの辺の位置に形成され，かつこの切込み31は押え部24Ａ，24Ｂの辺に向って凸とになるように弧状に形成されている。押え部24Ｃのうちの２つの切込み31の間の部分（この部分を符号24Ｃa で示し，折り起こし部という。）を折り起こすと，この部分24Ｃa の両端（切込み31）に押え部24Ａ，24Ｂの辺が接し，弧状に少し突出した一部が該辺の上に重なる。換言すれば押え部24Ａ，24Ｂの辺が切込み31に入る。これにより，押え部24Ｃと24Ａ，24Ｂが結合して，押え部24Ａ，24Ｂが上面部21の内面に沿った姿勢に仮止めされるので，以降の作業がやりやすくなる。切込み31は弧状ではなく，単に押え部24Ｃの辺に垂直な直線でもよいし，押え部24Ｃの部分24Ｃa の一部が押え部24Ａ，24Ｂに重なるように斜めにしてもよい。
【００３８】
内側面部23Ａ，23Ｂに設けられた差込部27をほぼ直角に折り曲げ，さらに外側面部22Ｄの両端に連なるコーナー折込部26を折る。さらに，押え部24Ｄの係止片部29とつまみ片部30を外側に直角よりも小さい角度に折り曲げておく。これが図５の状態である。
【００３９】
外側面部22Ｃと内側面部23Ｃの受穴28が形成された部分の拡大断面が図６に示されている（若干誇張して描かれている）。内側面部23Ｃを外側面部22Ｃに重ねるように折り曲げても，厚紙は若干の弾力があるとともに精密な整形はしにくいものであるから，内側面部23Ｃと外側面部22Ｃとの間には若干のすき間ができるのは避けられない。
【００４０】
前面を形成する外側面部22Ｄを上面部21に対して直角に折り曲げ，内側面部23Ｄを外側面部22Ｄの内面側に重ねるように折り曲げ，そして押え部24Ｄを上面部21の内面に重ねるように折り曲げていく。この状態が図７に示されている。
【００４１】
そして，押え部24Ｄが上面部21の内面に重なると，係止片部29はやや外向きになって傾斜しているので，内側面部23Ａ，23Ｂ，23Ｃに形成された受穴28内に入る。これが図８および図９に示されている状態である。係止片部29は外方に向っているので，受穴28を通って外側面部22Ｃ（22Ａ，22Ｂ）と内側面部23Ｃ（23Ａ，23Ｂ）とのすき間に入ってしまい，容易に抜けることはない。つまみ片部30は内側面部23Ｃに沿う。係止片部29と受穴28との係合を外して，つまみ片部30を引っ張れば押え部24Ｄを開けて図７または図５に示す元の状態に戻すことは可能ではあるが，強く引っ張ると係止片部29は完全に受穴28内に入っているから係止片部29が千切れることがある。
【００４２】
このようにして，押え部24Ａ，24Ｂ，24Ｃ，24Ｄは鏡餅形パック10の下部突縁12を上面部21との間に強固に挟持する。鏡餅形パック10の全体の重さは，上記のようにして強く結合した押え部24Ａ，24Ｂ，24Ｃ，24Ｄによって支持される（図２も参照）。したがって，鏡餅用台20内部に鏡餅形パック10を支持するための詰め物を入れる必要はない。
【００４３】
上記実施例では鏡餅用台の組立てに接着剤等は用いていないが，必要ならば接着剤を用いて各部を接着してもよい。
【００４４】
また，上記実施例では鏡餅用台は平面からみてほぼ正方形であるが，左右に長い長方形としてもよいし，２個以上の鏡餅形パックを支持するようにしてもよい。
【００４５】
図10から図18は変形例を示している。これらの図において，図１から図９の実施例に示すものと同一または対応する物もしくは部分には同一符号を付し説明を省略する。
【００４６】
この実施例では上述した受穴と係止片に相当するものが二重に設けられている。すなわち，受穴28は上記実施例のように３つの内側面部23Ａ，23Ｂ，23Ｃに形成されているが，この受穴28に加えて図11，図12に示すようにスリット38が形成されている。図10に示す展開図において，鏡餅用台の後面になる外側面部22Ｃ，内側面部23Ｃ，および押え部24Ｃについて述べると（他の内側面部23Ａ，23Ｂに形成される受穴，スリット等の構成も同じである），押え部24Ｃと内側面部23Ｃの境界部の中央部において，該境界となる折り線（一点鎖線で示される）からわずかに内側面部23Ｃに入った箇所に該境界に沿って受穴28の両側から切込み38Ａが入れられ，この切込み38Ａはその端から該境界までほぼ直角に曲ってわずかに延びている。そして，切込み38Ａの内側面部23Ｃ側に受穴28が連続している。外側面部22Ｃを起立させ，内側面部23Ｃをその内面にそって折り曲げ，さらに押え部24Ｃを上面部21の内面に沿うように内側面部23Ｃに対して直角に折り曲げる。切込み38Ａの押え部24Ｃに連続する側の部分38Ｂについては折り曲げられないから，図12に拡大して示すように，内側面部23Ｃよりも外側に突出して外側面部22Ｃの内面に当る。これを突出片部38Ｂという。この突出片部38Ｂが存在した部分（内側面部23Ｃの一部）には，内側面部23Ｃと押え部24Ｃとの境界に沿い，受穴28の両外方に延びるスリット38が形成される。スリット38と受穴28とはつながっている。この変形例では受穴28は半円形ではなく，角に丸味を帯びた方形である。なお，押え部24Ｃの切込み31はこの変形例では押え部24Ｃの辺に垂直である。
【００４７】
他方，再び図10を参照して，内底面となる押え部24Ｄの３つの辺にも上記実施例と同じように，受穴28に対応する箇所に，係止片部（第１の係止片部）29が形成されている。この係止片部29は受穴28と同じように角に丸味を帯びた方形であり，受穴28よりもわずかに小さくつくられている。
【００４８】
この係止片部29の周囲にはつまみ片となる部分30Ａが押え部24Ｄと一体に形成されている。つまみ片部30Ａと係止片部29との境界には切込み39Ａ，39Ｂが入っている。切込み39Ａは係止片部39Ａの外形（輪郭）を形づくるものであり，この切込み39Ａの両端から，外方向に（離れる方向に）切込み39Ｂが押え部24Ｄの辺に沿って延び，さらにほぼ直角に曲ってわずかに押え部24Ｄの内方に少し入っている。また，つまみ片部30Ａの外形を形成する辺から切込みが押え部24Ｄ内に少し入っている。したがって，つまみ片部30Ａの折り線は押え部24Ｄの辺よりも少し内側に寄り，つまみ片部30Ａが押え部24Ｄに直角に折り曲げられたときに，つまみ片部30Ａの外面（最終的に内側面部23Ａ，23Ｂ，23Ｃに沿う面）は押え部24Ｄの辺とほぼ面一となる。さらに図11，13，14を参照して，第１の係止片部29は，切込み39Ｂの延長上（２つの切込み39Ｂを結ぶ線上）で折り曲げて立上げられるが，好ましくは90度以下の適当な角度まで起こされた位置で止められる。切込み39Ｂよりも押え部24Ｄ側の部分は，折り曲げられないから押え部24Ｄと同一平面を形成し，押え部24Ｄの辺よりも外方に突出する。この部分が第２の係止片部39である。第２係止片部39の長さはスリット38の長さよりも少し短い。第１の係止片部29は第２係止片部39から折り曲げられた形になる。
【００４９】
さらに，図15から図18を参照して，押え部（内底面）24Ｄが上面部21の内面に重なるように折り曲げられると，第２の係止片部39が内側面部23Ａ，23Ｂ，23Ｃのスリット38に入る（特に図17参照）。また，第１の係止片部29が受穴28内を通って，外側面部22Ａ，22Ｂ，22Ｃと内側面部23Ａ，23Ｂ，23Ｃとの間のすき間に入る（特に図18参照）。係止片部29はやや外方に向って斜めの状態までしか折り曲げられていないから，弾性により外側面部22Ａ，22Ｂ，22Ｃの内面に当る。このようにして，押え部24Ｄは３箇所において二重に係止され，鏡餅形パック10を支持することができる。仮に，第２の係止片部39がスリット38から外れても，第１の係止片部29が受穴28に入っていてこれらの係止状態が外れることはない。第１，第２の係止片部29，39の係止状態を外し，つまみ片部30Ａを引っ張れば押え部24Ｄを外すことが可能ではあるが，つまみ片部30Ａを無理に引っ張ると第１，第２の係止片部，特に第１の係止片部29はちぎれてしまうおそれがある。
【００５０】
最後に，屏風セット50について図19および図20を参照して説明する。図19は屏風セット50の展開図であり，底面部51を中心に一方側に連続して後面外側部分52と後面内側部分53，押え部53Ａが設けられ，他方側に高さの低い前面外側部分55，前面内側部分56および押え部57が連続して形成されている。これらの部分52，53，55〜57等が設けられている方向とは直交する両方向に側面部54Ａ，54Ｂが連続的に設けられ，これらの側面部54Ａ，54Ｂにそれぞれ差込部58Ａ，58Ｂ，押え部59Ａ，59Ｂがそれぞれ設けられている。さらに，後面外側部分52と側面部54Ａ，54Ｂとの間にはコーナー折込部60がある。前面外側部分55と両側面部54Ａ，54Ｂとの間にもコーナー折込部63が設けられ，前面外側部分56の両端に差込部64が設けられている。
【００５１】
押え部57には弧状の切込み61が入れられている。これらの切込み61の間が折り起こし部分57Ａである。さらに押え部59Ａ，59Ｂにも弧状の切込み62が形成され，この切込み62に関しては折り起こし部分62Ａは角度の小さい扇形となっている。この図においても破線は谷折り，一点鎖線は山折りに折り曲げられる。
【００５２】
図19に示す展開図をその折り線に沿って折ると図20に示すような屏風セット50が完成する。押え部について言及すると，前部の押え部57の上に両側の押え部59Ａ，59Ｂが重なり，その上に後部の押え部53Ａが重なる。押え部57の折り起こし部分57Ａの両端の切込み61は押え部59Ａ，59Ｂの辺に当る位置に形成され，これらの押え部59Ａ，59Ｂを仮止めする。押え部59Ａ，59Ｂの切込み62は押え片53Ａの辺に当る位置に形成され，扇形の折り起こし部分62Ａを折り起こして押え部53Ａを仮止めする。
【符号の説明】
【００５３】
10  鏡餅形パック
12  下部突縁
20  鏡餅用台
21  上面部
22Ａ，22Ｂ，22Ｃ，22Ｄ  外側面部（第１，第２，第３，第４の外側面部）
23Ａ，23Ｂ，23Ｃ，23Ｄ  内側面部（第１，第２，第３，第４の内側面部）
24Ａ，24Ｂ，24Ｃ，24Ｄ  押え部（第１，第２，第３，第４の押え部）
28  受穴
29  係止片部（第１の係止片部）
30，30Ａ  つまみ片部
31，61，62  切込み
38  スリット
39  係止片部（第２の係止片部）
24Ｃa ，57Ａ，62Ａ  折り起こし部分
【図１】
2011244909.tif 000003
【図２】
2011244909.tif 000004
【図３】
2011244909.tif 000005
【図４】
2011244909.tif 000006
【図５】
2011244909.tif 000007
【図６】
2011244909.tif 000008
【図７】
2011244909.tif 000009
【図８】
2011244909.tif 000010
【図９】
2011244909.tif 000011
【図１０】
2011244909.tif 000012
【図１１】
2011244909.tif 000013
【図１２】
2011244909.tif 000014
【図１３】
2011244909.tif 000015
【図１４】
2011244909.tif 000016
【図１５】
2011244909.tif 000017
【図１６】
2011244909.tif 000018
【図１７】
2011244909.tif 000019
【図１８】
2011244909.tif 000020
【図１９】
2011244909.tif 000021
【図２０】
2011244909.tif 000022